(57)【要約】【課題】複数の支持ワイヤのうち所定の支持ワイヤの弾性力および張力による可動部に対する影響を低減させて、可動部の移動動作の精度を向上させることが可能な光ピックアップを提供する。【解決手段】光ピックアップ１は、可動部３，支持ワイヤ４，４ａ，支持台５およびヨーク部６を備え、複数の支持ワイヤ４，４ａのうち所定の支持ワイヤ４ａの一端部を支持している支持部４０を、所定の支持ワイヤ４ａの位置の変化に対応して変形可能にしている。【選択図】    図１
2004152421.tif 000002
【特許請求の範囲】
【請求項１】
光ディスクの記録面上に光を集光させるための対物レンズが設けられ、前記光ディスクに対する前記対物レンズの位置などの状態をフォーカスコイルおよびトラッキングコイルで微調整可能な可動部と、
他端部がこの可動部に固定され、この可動部を移動可能に支持する複数の支持ワイヤと、
この支持ワイヤの一端部を支持する支持台と、
この支持台が取付けられ、前記フォーカスコイルおよび前記トラッキングコイルとの間でそれぞれ磁気回路を構成するヨークと永久磁石が取付けられたヨーク部とを備えた光ピックアップであって、
前記複数の支持ワイヤのうち所定の支持ワイヤの前記一端部を支持している支持部を、前記所定の支持ワイヤの位置の変化に対応して変形可能にしたことを特徴とする光ピックアップ。
【請求項２】
前記支持部における変形可能部は、フォーカス方向に所定の幅寸法を有し、トラッキング方向に所定の長さ寸法を有し、且つ所定の厚み寸法を有していることを特徴とする請求項１に記載の光ピックアップ。
【請求項３】
前記支持台には基板が固定されるとともにこの基板には可撓性を有する薄いプリント配線板が固着され、このプリント配線板に前記支持ワイヤの前記一端部が電気的に接続され、
前記変形可能部は、前記基板に穿設された所定形状の孔により規制される前記プリント配線板の所定の部位により構成されていることを特徴とする請求項２に記載の光ピックアップ。
【発明の詳細な説明】
【０００１】
【発明の属する技術分野】
本発明は、光ディスクの記録面上に対物レンズで光を集光させて情報の記録，再生などを行う光ピックアップに関する。
【０００２】
【従来の技術】
光ピックアップは、光ディスク再生装置および光ディスク記録再生装置など光ディスク装置に使用される。光ピックアップは、記録媒体である光ディスクの記録面上に光たとえばレーザー光を集光させて、情報の記録，再生などを行うための装置である。
光ピックアップは可動部を有しており、この可動部は、複数の支持ワイヤを介して支持台に支持されて移動可能である。可動部は、レーザー光を集光させるための対物レンズと、光ディスクに対する対物レンズの位置などの状態を微調整するためのフォーカスコイルおよびトラッキングコイルとを有している。フォーカスコイルとトラッキングコイルには、支持ワイヤを介して電流が供給される。
フォーカスコイルとトラッキングコイルに電流を供給すれば、フォーカスコイルとトラッキングコイルによりそれぞれ生じる電磁力により、可動部がその基本位置から移動（シフト）して、対物レンズの位置や姿勢などの状態が微調整される。
【０００３】
対物レンズの傾きを制御するために、チルトコイルを可動部に設けた場合には、このチルトコイルに電流を供給するための支持ワイヤも追加する必要がある。このように、支持ワイヤを追加してその数が増えると、支持ワイヤの弾性力および張力が、可動部の移動動作に影響を与えて移動動作が複雑化し、その結果、移動動作の精度が低下する恐れがある。また、追加された支持ワイヤの弾性力や張力により、可動部が不都合な挙動を起こす恐れもある。
支持ワイヤの数が増加すると、支持ワイヤを細くしなければ可動部の移動動作を確保することができないので、支持ワイヤの種類が増加し、組立工程も複雑化する。また、この細い支持ワイヤを組立てるときには、高精度な作業が要求され、組立作業の負担が増加する。
【０００４】
一方、支持ワイヤの数が増加すると、可動部の共振周波数が高くなって可動部の振動が大きくなることがある。この対策のために、コイル状または途中が屈曲した特殊な形状の支持ワイヤを使用すれば、部品の種類が多くなってコストがかかり、組立工程も複雑化する。
特許文献１に記載された従来の光ピックアップ装置では、フレーム（可動部）の振動を吸収するために動吸振器を取付けている。
【０００５】
【特許文献１】
特許第３２６０６２８号公報
【０００６】
【発明が解決しようとする課題】
しかしながら、前記特許文献１に記載の光ピックアップ装置では、動吸振器などの部品を別途設ける必要があり、部品点数が増えてしまい、組立工程が複雑化する。また、フレームにおけるフォーカス方向の共振周波数とトラッキング方向の共振周波数とをそれぞれ個別に調整することはできない。
【０００７】
本発明は、このような課題を解決するためになされたもので、複数の支持ワイヤのうち所定の支持ワイヤの弾性力および張力による可動部に対する影響を低減させて、可動部の移動動作の精度を向上させることが可能な光ピックアップを提供することを目的とする。
また、本発明は、弾性部材などの部品を別途設けないで、可動部におけるフォーカス方向の共振周波数とトラッキング方向の共振周波数とをそれぞれ個別に設定して可動部の振動を低減することが可能な光ピックアップを提供することを目的とする。
【０００８】
【課題を解決するための手段】
上述の目的を達成するため、本発明にかかる光ピックアップは、光ディスクの記録面上に光を集光させるための対物レンズが設けられ、前記光ディスクに対する前記対物レンズの位置などの状態をフォーカスコイルおよびトラッキングコイルで微調整可能な可動部と、他端部がこの可動部に固定され、この可動部を移動可能に支持する複数の支持ワイヤと、この支持ワイヤの一端部を支持する支持台と、この支持台が取付けられ、前記フォーカスコイルおよび前記トラッキングコイルとの間でそれぞれ磁気回路を構成するヨークと永久磁石が取付けられたヨーク部とを備えた光ピックアップであって、前記複数の支持ワイヤのうち所定の支持ワイヤの前記一端部を支持している支持部を、前記所定の支持ワイヤの位置の変化に対応して変形可能にしている。
前記支持部における変形可能部は、フォーカス方向に所定の幅寸法を有し、トラッキング方向に所定の長さ寸法を有し、且つ所定の厚み寸法を有しているのが好ましい。
前記支持台には基板が固定されるとともにこの基板には可撓性を有する薄いプリント配線板が固着され、このプリント配線板に前記支持ワイヤの前記一端部が電気的に接続され、前記変形可能部は、前記基板に穿設された所定形状の孔により規制される前記プリント配線板の所定の部位により構成されているのが好ましい。
【０００９】
【発明の実施の形態】
以下、本発明にかかる実施の形態の一例を、図１ないし図１０を参照して説明する。
図１および図２は、それぞれ光ピックアップの斜視図および平面図、図３は、支持ワイヤの支持状態を基板側から見た状態を示す斜視図、図４は、前記支持ワイヤの支持状態を可動部側から見た状態を示す斜視図、図５は図３の分解斜視図、図６は図４の分解斜視図、図７は基板にプリント配線板が固着された状態を示す正面図、図８および図９は、それぞれ本実施形態の動作を示す斜視図および断面図である。
【００１０】
図１ないし図６において、光ディスク装置（図示せず）に使用される光ピックアップ１は、移動機構（図示せず）により、記録媒体である光ディスクの半径方向に制御されつつ移動可能になっている。
光ディスク装置において、光ディスクが駆動モータにより回転駆動されている状態で、移動機構で所望の位置に光ピックアップ１を移動させる。そして、光ピックアップ１は、光ディスクの記録面上に対物レンズ２で光（たとえば、レーザー光）を集光させて、光ディスクに対して情報の記録，再生などを行う。
光ディスクとしては、ＣＤ，ＣＤ−ＲＯＭ，ＣＤ−Ｒ，ＣＤ−ＲＷ，ＭＤ，ＭＯ，ＤＶＤ−ＲＯＭ，ＤＶＤ−ＲＡＭ，ＤＶＤ−Ｒ，ＤＶＤ−ＲＷなどがある。
【００１１】
光ピックアップ１は、可動部３，支持ワイヤ４，４ａ，支持台５およびヨーク部（継鉄部）６などを有している。
可動部３には、光ディスクの記録面上に光を集光させるための対物レンズ２が設けられている。可動部３は、光ディスクに対する対物レンズ２の位置や姿勢などの状態を、フォーカスコイル７およびトラッキングコイル８に電流を流すことにより微調整可能になっている。
なお、説明の便宜上、対物レンズ２の光軸Ｂと平行な方向すなわちフォーカス方向をＸ方向とし、特に、光ディスク側（すなわち、対物レンズ２側）を上方向とし、反光ディスク側を下方向とする。
このＸ方向と直交する方向（光ディスクの半径方向）すなわちトラッキング方向をＺ方向とし、Ｘ方向およびＺ方向と直交する方向をＹ方向とする。特に、図２の左右方向を、光ピックアップ１の左右方向（Ｚ方向）とする。
本実施形態では、対物レンズ２が可動部３のほぼ中央部に配置された「レンズセンタータイプ」の光ピックアップ１の場合を示している。なお、本発明は、対物レンズ２が可動部の外側に配置された「レンズオフセットタイプ」の光ピックアップにも適用可能である。
【００１２】
磁性体からなるヨーク部６には、支持台５が取付けられている。支持台５は、複数（ここでは、合計六本）の支持ワイヤ４，４ａを支持しており、この六本の支持ワイヤ４，４ａを介して可動部３を移動可能に支持している。
ヨーク部６の所定位置には、永久磁石９とヨーク１０が取付けられている。永久磁石９とヨーク１０は、フォーカスコイル７との間で磁気回路を構成し、また、トラッキングコイル８との間で磁気回路を構成する。
可動部３に設けられたフォーカスコイル７は、可動部３をフォーカス方向（対物レンズ２の光軸Ｂと平行な方向（Ｘ方向））に移動させ、トラッキングコイル８は、可動部３をトラッキング方向（光ディスクの半径方向（Ｚ方向））に移動させることができる。フォーカスコイル７とトラッキングコイル８には、支持ワイヤ４を介して電流が供給される。
【００１３】
可動部３は、平面視でほぼ矩形状の本体部２０を有しており、本体部２０は、絶縁性を有する樹脂材料などにより一体的に形成されている。対物レンズ２，フォーカスコイル７およびトラッキングコイル８などは、本体部２０の所定位置に設けられている。
本体部２０に支持された対物レンズ２は、光ディスクの記録面上にレーザー光などの光を集光させる。一つのフォーカスコイル７は、その巻軸が対物レンズ２の光軸Ｂと平行（Ｘ方向と平行）になるように、本体部２０の外周面全周に巻回されている。
【００１４】
本体部２０の一方の側面２２ａには、二つのトラッキングコイル８が取付けられ、本体部２０の一方の側面２２ａから１８０度反対方向の他方の側面２２ｂにも、二つのトラッキングコイル８が取付けられている。
すなわち、本体部２０の一方の側面２２ａに、二つのトラッキングコイル８がＺ方向に並んで配置され、他方の側面２２ｂに、二つのトラッキングコイル８がＺ方向に並んで配置されている。
各トラッキングコイル８は、それぞれの巻軸の方向が光軸Ｂ（Ｘ方向，上下方向）と直交するＹ方向と平行になるように（すなわち、フォーカスコイル７の巻線方向に対して直角になるように）、巻回されている。
本実施形態では、トラッキングコイル８が空心コイルの場合を示しているが、本体部２０にボビンを形成し、このボビンにトラッキングコイルを巻回する場合であってもよい。
【００１５】
ヨーク部６は、光ディスク装置のケースまたはベース部材（図示せず）などの固定側に固定され、所定形状に形成されている。ヨーク部６は、平面視でほぼ矩形の板状に形成され光ディスク装置の固定側に取付けられたヨーク基台２５と、ヨーク基台２５にほぼ直角に固定され且つ可動部３の外側に配置された二つの磁石支持用ヨーク（ヨーク）２６と、フォーカスコイル７より内方側に所定の部位１０ｂが配置される複数（ここでは、二つ）のヨーク１０とを有している。
磁石支持用ヨーク２６は、ほぼ矩形状を有し基台２５に突出して設けられ、互いに平行に且つ所定の位置に配置されている。二つのヨーク１０は、互いに平行な部位１０ａ，１０ｂを有する逆Ｕ字状をなしている。
一方の部位１０ａは磁石支持用ヨーク２６に固定され、他方の部位１０ｂは、フォーカスコイル７の内側に位置し且つ本体部２０に貫通形成された二つの中空部２８を挿通して配設されている。
一対の永久磁石９は、ヨーク部６に取付けられ、一個のフォーカスコイル７および合計四個のトラッキングコイル８に対応して所定位置に配置されている。二つの永久磁石９は、それぞれ二つの磁石支持用ヨーク２６に（または、直接基台２５に）接着剤などにより固着されている。永久磁石９は、二つ並んだトラッキングコイル８に対向して配置されている。
一方のヨーク１０の他方の部位１０ｂは、一方の永久磁石９に対向して配置され、他方のヨーク１０の他方の部位１０ｂは、他方の永久磁石９に対向して配置されている。
【００１６】
ところで、光ディスクのトラックピッチや情報記録密度がそれほど大きくない場合には、光ピックアップの可動部の姿勢の制御に関しては、それほど高精度な制御は要求されない場合が多い。
ところが、記録情報の高密度化が要求される光ディスクに使用される光ピックアップ１の場合には、チルト調整が要求されるようになってきた。光ピックアップ１をチルト調整することにより、光ディスクに対する対物レンズ２の光軸Ｂの傾きが自動的に微調整される。チルト調整には、ラジアルチルト調整とタンジェンシャルチルト調整がある。
ラジアルチルト調整は、光ディスクの記録面に対して直交し且つ光ディスクの半径方向（ラジアル方向）の面内（Ｘ，Ｚ面内）で、光軸Ｂの傾きを微調整することである。
タンジェンシャルチルト調整は、光ディスクの記録面に対して直交し且つトラックの接線方向（タンジェンシャル方向）の面内（Ｘ，Ｙ面内）で、光軸Ｂの傾きを微調整することである。
【００１７】
高密度化された記録情報の正確な記録，再生などを行うためには、対物レンズ２で集光したスポットを、光ディスクの記録面のピットの位置に正確に一致させる必要がある。
そのためには、光ピックアップ１のラジアルチルト調整を高精度に行うことが特に要求される。このラジアルチルト調整に加えてタンジェンシャルチルト調整も行えば、さらに精度よく情報の記録，再生などを行うことができる。
【００１８】
そこで、可動部３に二つまたは四つのチルトコイル１１を設けることにより、光ピックアップ１の少なくともラジアルチルト調整を可能にしている。本実施形態の光ピックアップ１では、フォーカスコイル７およびトラッキングコイル８とは別個に、四つのチルトコイル１１を可動部３の本体部２０の一方の面（たとえば、下面）に設けている。
そして、支持ワイヤ４ａを介してチルトコイル１１に流す電流を制御することにより、光ピックアップ１のチルト調整（特に、ラジアルチルト調整）を可能にしている。
【００１９】
フォーカスコイル７と、他方の部位１０ｂがフォーカスコイル７の内方に配置された一方のヨーク１０と、一方の磁石支持用ヨーク２６と、フォーカスコイル７の外方に配置された一方の永久磁石９との間で、磁気回路が構成されている。これと同様に、フォーカスコイル７と他方のヨーク１０と他方の磁石支持用ヨーク２６と他方の永久磁石９との間でも、磁気回路が構成されている。
本体部２０の一方の側面２２ａに取付けられた二つのトラッキングコイル８は、一方の永久磁石９と一方のヨーク１０とが形成する磁界中に配置されて磁気回路を構成している。一方の永久磁石９と一方のヨーク１０との間に、二つのトラッキングコイル８が、一方の永久磁石９の磁束が鎖交するように配置されている。
また、本体部２０の他方の側面２２ｂに取付けられた二つのトラッキングコイル８は、他方の永久磁石９と他方のヨーク１０とが形成する磁界中に配置されて磁気回路を構成している。他方の永久磁石９と他方のヨーク１０との間に、二つのトラッキングコイル８が、他方の永久磁石９の磁束が鎖交するように配置されている。
二つのチルトコイル１１は、一方のヨーク１０と一方の磁石支持用ヨーク２６と一方の永久磁石９とが形成する磁界中に配置されて、磁気回路を構成している。他の二つのチルトコイル１１は、他方のヨーク１０と他方の磁石支持用ヨーク２６と他方の永久磁石９とが形成する磁界中に配置されて、磁気回路を構成している。
【００２０】
支持ワイヤ４，４ａは、可動部３の両側にＹ方向とほぼ平行にそれぞれ三本ずつ合計六本設けられている。支持ワイヤ４，４ａは、その一端部が支持台５側に固定され、他端部が可動部３側に固定されている。
上下左右方向の四隅に配置された四本の支持ワイヤ４は、たとえばフォーカスコイル７，トラッキングコイル８に接続され、上下方向の真中の二本の支持ワイヤ４ａは、たとえばチルトコイル１１に接続されている。なお、各支持ワイヤは、他のコイルに接続されている場合でもよい。
可動部３は、六本の支持ワイヤ４，４ａを介して、支持台５とヨーク部６との間の空間に浮いている格好で取付けられるので、移動や揺動などの動作を行なって、可動部３の状態（可動部３の位置，姿勢など）を自在に変化させることができる。
可動部３は、たとえば、フォーカスコイル７，トラッキングコイル８およびチルトコイル１１に電流が供給されていないときの基本位置から、フォーカスコイル７，トラッキングコイル８，チルトコイル１１に電流を供給することにより、上下方向（Ｘ方向）や左右方向（Ｚ方向）にシフト（移動）することができ、またチルト調整される。
ここで、「可動部３の基本位置」とは、たとえば、可動部３が静止している状態で、トラッキングコイル８がヨーク１０や永久磁石９などに対して右側および左側において等距離に位置し、可動部３がヨーク基台２５と平行に位置し、可動部３の上下，左右の中心線がともに基準線（図示せず）と一致しているときの、可動部３の位置をいう。
【００２１】
支持台５には、基板３１が接着剤などで固定され、基板３１には、可撓性を有する薄いプリント配線板３０が接着剤などで固着されている。プリント配線板３０は、たとえば絶縁性の樹脂フィルムからなる下地板３０ａに導電性の回路導体３０ｂがプリントされた薄板状をなしている。
基板３１には、支持ワイヤ４，４ａを係合させるための複数（ここでは、合計六つ）の孔４２，４３が、所定位置に穿設されている。プリント配線板３０にも、支持ワイヤ４，４ａを係合させるための複数（ここでは、合計六つ）の孔４４，４５が、所定位置に穿設されている。
支持台５には、複数（ここでは、六つ）の貫通孔が所定位置に穿設されており、支持ワイヤ４，４ａは、支持台５のこの貫通孔に挿通されている。
【００２２】
支持ワイヤ４は、基板３１の孔４３とプリント配線板３０の孔４５に係合している。基板３１において、支持ワイヤ４ａ用の孔４２は、他の孔４３より大きい内径に形成されている。
支持ワイヤ４ａは、基板３１の孔４２とプリント配線板３０の孔４４に係合している。支持ワイヤ４，４ａの一端部は、半田４６でプリント配線板３０の回路導体３０ｂと電気的に接続されて支持台５に支持されている。
プリント配線板３０には、支持ワイヤ４ａ用の孔４４を挟んで一対のスリット４７が穿設されている。孔４４は二つあるので、プリント配線板３０には合計四つのスリット４７が形成されている。一対のスリット４７に挟まれたプリント配線板３０の所定の部位が、支持ワイヤ４ａの一端部を支持するための支持部４０を構成している。
支持部４０は、支持ワイヤ４ａの位置の変化（たとえば、支持ワイヤ４ａの方向の変化，軸線方向への移動など）に対応して、自在に変形することができる。すなわち、支持部４０は、支持ワイヤ４ａの位置が変化すると、この変化に追従して任意の形状に撓み（歪み）自在である。支持ワイヤ４ａの位置の変化と支持部４０の変形の各動作の自由度を確保するために、支持ワイヤ４ａ用の孔４２の内径が比較的大きく形成されている。
【００２３】
基板３１には、はとめ用の一対の孔４８が穿設され、プリント配線板３０にも、はとめ用の一対の孔４９が穿設されている。孔４８，４９に一対のはとめ部材５０を係合させ且つ固定することにより、プリント配線板３０が基板３１に対して位置決めされる。
これにより、孔４３と孔４５の各中心位置、孔４２と孔４４の各中心位置をそれぞれ一致させることができ、また、一対のスリット４７の間に形成された支持部４０を、基板３１の孔４２の位置に一致させることができる。
【００２４】
可動部３の本体部２０の左右両側面には、複数（ここでは、二つ）の他のプリント配線板３２が取付られ、支持ワイヤ４，４ａの他端部は、半田でプリント配線板３２に接続固定されている。プリント配線板３２には、フォーカスコイル７，トラッキングコイル８，チルトコイル１１の各巻線の端部が、電気的に接続されている。
支持ワイヤ４，４ａの他端部が、他のプリント配線板３２に半田付けされることにより、支持ワイヤ４とフォーカスコイル７，トラッキングコイル８とが電気的に接続され、支持ワイヤ４ａとチルトコイル１１とが電気的に接続される。
フォーカスコイル７の巻線，四つのトラッキングコイル８の各巻線および四つのチルトコイル１１の各巻線は、支持ワイヤ４，４ａと、支持ワイヤ４，４ａが電気的に接続されたプリント配線板３０とによって、制御回路（図示せず）に電気的に接続されている。
【００２５】
光ピックアップ１は、図示しない光学系を有している。この光学系は、レーザー光を発生する半導体レーザーなどの光源，光検出器，反射ミラー，レンズおよび回折格子などを有している。対物レンズ２も、この光学系に含まれる。
光検出器は、光ディスクの記録面で反射したレーザー光を受光し、再生信号を検出するとともに、光ディスクの記録面の傾きを検出し、フォーカスエラー信号，トラッキングエラー信号なども検出する。
【００２６】
次に、光ピックアップ１の動作について説明する。
まず、光ディスク装置において、光ディスクが駆動モータにより回転駆動されている状態で、移動機構により光ピックアップ１を所望の位置に移動させる。そして、光学系で発生したレーザー光を対物レンズ２で記録面上に集光させて、光ディスクに対して情報の記録，再生などを行う。
光ピックアップ１の状態（可動部３の位置，姿勢など）を制御する場合には、光検出器で検出された光ディスクの記録面の傾きに関する検出結果を、変換部で電気信号に変換し、制御部に電気信号として出力する。制御部では、変換部から出力された電気信号に基づいて、フォーカスコイル７，トラッキングコイル８およびチルトコイル１１に流す電流とその方向を制御する。
【００２７】
対物レンズ２をフォーカス方向（Ｘ方向）に移動させる場合には、制御部は、移動すべき方向および移動量に応じた制御電流を、支持ワイヤ４を介してフォーカスコイル７に供給する。
すると、フォーカスコイル７により生じる電磁力により、可動部３が光ディスクに対してフォーカス方向（Ｘ方向）に移動（シフト）して、対物レンズ２の位置を微調整する。
同様に、対物レンズ２をトラッキング方向（Ｚ方向）に移動させる場合には、支持ワイヤ４を介して四つのトラッキングコイル８に供給する電流とその方向を制御する。
すると、トラッキングコイル８により生じる電磁力により、可動部３が光ディスクのトラッキング方向（Ｚ方向）に移動（シフト）して、対物レンズ２の位置を微調整する。
また、光ピックアップ１をチルト調整する場合には、支持ワイヤ４ａを介して四つのチルトコイル１１に供給する電流とその方向を制御する。すると、チルトコイル１１により生じる電磁力により、可動部３が揺動してその姿勢を変化させるので、対物レンズ２の光軸Ｂの傾きが微調整される。
このようにして、可動部３は、その位置が制御されてフォーカス方向，トラッキング方向にそれぞれ移動し、また、その姿勢を制御するチルト調整も行われる。
【００２８】
かかる構成の光ピックアップ１においては、可動部３が光ディスクに対してフォーカス方向およびトラッキング方向にそれぞれ移動して、対物レンズ２の位置を微調整することができる。これに加えて、光ピックアップ１のラジアルチルト調整も行なっているので、３軸制御が可能である。したがって、光ディスクに対する光ピックアップ１の状態を高精度に制御することができる。
チルトコイル１１を、フォーカスコイル７およびトラッキングコイル８とは別個に可動部３に設けたので、フォーカス方向とトラッキング方向の制御とは独立して、ラジアルチルト調整を行うことができる。
可動部３の本体部２０の下面にチルトコイル１１をコンパクトに配置したので、ラジアルチルト調整機能を付加しても、光ピックアップ１が平面視で大型化することはない。
【００２９】
光ピックアップ１では、複数（ここでは、六本）の支持ワイヤ４，４ａのうち所定の支持ワイヤ（ここでは、支持ワイヤ４ａ）の一端部を支持している支持部４０を、支持ワイヤ４ａの位置の変化に対応して変形可能にしている。
これにより、支持ワイヤ４ａにかかる弾性力および張力が低減するので、支持ワイヤ４ａの弾性力および張力による可動部３に対する影響が低減することになり、可動部３の移動動作の精度を向上させることができる。
【００３０】
支持部４０における変形可能部４１は、フォーカス方向に所定の幅寸法ｂを有し、トラッキング方向に所定の長さ寸法ｃを有し、且つ所定の厚み寸法ｔを有している（図７，図９（Ａ）参照）。
これにより、従来使用されていた弾性部材などの部品を別途設けないで、可動部３におけるフォーカス方向の共振周波数とトラッキング方向の共振周波数とをそれぞれ個別に設定（調整）して、可動部３の振動を低減することができる。
すなわち、フォーカス方向の幅寸法ｂを調整すればフォーカス方向の共振周波数の調整ができ、トラッキング方向の長さ寸法ｃを調整すればトラッキング方向の共振周波数の調整ができ、厚み寸法ｔを調整すれば全体的な共振周波数の調整ができる。
【００３１】
本実施形態では、基板３１に穿設された所定形状（ここでは、円形）の孔４２により規制されるプリント配線板３０の所定の部位により、変形可能部４１を構成している。
孔４２が円形の場合にはその内径を変えたり、孔４２を楕円形，矩形，その他所定の形状にするなど、孔４２の寸法や形状を変えれば、変形可能部４１の幅寸法ｂ，長さ寸法ｃをそれぞれ所望の寸法に自在に調整することができる。
【００３２】
図９（Ａ），（Ｂ），（Ｄ）は支持部４０の側面断面図、図９（Ｃ）は支持部４０の平面断面図（スリット４７と平行方向に切った図）である。
図８（Ａ），図９（Ａ）に示すように、可動部３が基本位置に位置している場合には、六本の支持ワイヤ４，４ａはほぼ真っ直ぐで且つ互いに平行な状態になっている。したがって、プリント配線板３０における支持部４０も変形していない。
次に、図８（Ｂ），図９（Ｂ）に示すように、可動部３がフォーカス方向の一方向（たとえば、上方向）にシフトすると、四本の支持ワイヤ４は、その弾性力や張力に抗して撓むことになる。これは、支持ワイヤ４はプリント配線板３０に半田で固定され、この固定部におけるプリント配線板３０の変形量が少ないからである。
一方、所定の二本の支持ワイヤ４ａは、可動部３に引っ張られて上方を向くようにその方向が変化するが（このときも、二本の支持ワイヤ４ａは真っ直ぐである）、支持ワイヤ４ａが変化するとこの変化に対応して支持部４０も変形する。これは、支持部４０が基板３１の孔４２の位置に配置されて変形自在になっており、また、支持部４０（すなわち、支持部４０における変形可能部４１）が、一対のスリット４７の間に形成されて自由に変形可能になっているからである。
こうして、支持部４０が支持ワイヤ４ａの位置（方向）の変化に対応して自在に変形するので、支持ワイヤ４ａは、真っ直ぐのままの状態で弾性力および張力がほとんどかからない。
【００３３】
図８（Ｃ），図９（Ｃ）に示すように、可動部３がトラッキング方向（たとえば、右方向（図８（Ｃ）の矢印Ｆａ方向）または左方向（図９（Ｃ）の矢印Ｆｂ方向））にシフトした場合には、四本の支持ワイヤ４はその弾性力や張力に抗して撓む。
ところが、可動部３の移動動作に伴って二本の支持ワイヤ４ａもその方向が変化するが（このときも、二本の支持ワイヤ４ａは真っ直ぐである）、この変化に対応して支持部４０が自由に変形する。これにより、支持ワイヤ４ａは真っ直ぐのままの状態で弾性力および張力がほとんどかからない。
図９（Ｄ）の矢印Ｇに示すように、可動部３の移動動作やその他の原因により、支持ワイヤ４ａにその軸線方向に張力がかかった場合でも、支持ワイヤ４ａの位置の変化（ここでは、軸線方向の移動）に対応して支持部４０が自由に変形する。これにより、支持ワイヤ４ａには張力がほとんどかからない。
こうすることにより、可動部３を移動可能に支持する六本の支持ワイヤ４，４ａのうち二本の支持ワイヤ４ａは、可動部３を支持する機能は小さくて、電流を流す機能が主なものになっている。
【００３４】
図１０は本実施形態の変形例を示す図で、図１０（Ａ）〜（Ｄ）は図７（Ａ）相当図である。なお、図１０に示す各種変形例において、前記実施形態と同一または相当部分には同一符号を付してその説明を省略し、異なる部分のみ説明する。
図１０に示す光ピックアップでは、複数の支持ワイヤ４，４ａのうち所定の支持ワイヤ４ａの一端部を支持している支持部４０を、所定の支持ワイヤ４ａの位置の変化に対応して変形可能にすることにより、所定の支持ワイヤ４ａにかかる弾性力および張力を低減している。
支持部４０における変形可能部４１の幅寸法ｂ，長さ寸法ｃ，厚み寸法ｔは、プリント配線板３０の形状を所定形状に形成することにより容易に調整することができる。
【００３５】
図１０（Ａ）〜（Ｃ），（Ｅ），（Ｆ）に示す光ピックアップでは、支持台５には基板３１が固定されるとともに、基板３１にはプリント配線板３０が固着されている。
プリント配線板３０に、支持ワイヤ４，４ａの一端部が電気的に接続されている。変形可能部４１は、基板３１に穿設された所定形状の孔４２により規制されるプリント配線板３０の所定の部位により構成されている。
図１０（Ａ）では、支持ワイヤの合計本数が八本で、四隅の支持ワイヤ４で主として可動部３を移動可能に支持し、上下方向の真ん中の合計四本の支持ワイヤ４ａの一端部を支持部４０でそれぞれ支持している。
なお、可動部にチルトコイルの他にＩＣチップなどを搭載した場合には、必要とする支持ワイヤの本数も増加するが、このように支持ワイヤ４，４ａの合計本数が多い場合でも、本発明を適用できる。
【００３６】
図１０（Ｂ）に示すように、支持ワイヤ４，４ａの合計本数が奇数（図示する五本のほか、七本，九本など）の場合であってもよい。この場合には、支持ワイヤ４ａの一端部を支持している支持部４０を、基板３１の左右方向の中央部に配置するのが好ましい。
可動部３は、主として四隅の四本の支持ワイヤ４で支持される。この四本の支持ワイヤ４で電流を供給し、一本の支持ワイヤ４ａを、各コイルの共通のアース側配線とすれば、全体の支持ワイヤの本数を少なくできる。
図１０（Ｃ）では、全部の支持ワイヤすなわち四本の支持ワイヤ４ａの一端部を支持部４０で支持している場合を示している。この場合には、可動部３の重さを支持できるように、プリント配線板３０の厚みを若干厚くするのが好ましい。
【００３７】
図１０（Ｄ）では、基板３１を省略して、プリント配線板３０のみを支持台５の背面に設けた場合を示している。全部の支持ワイヤ４，４ａはプリント配線板３０に接続されている。
六本の支持ワイヤのうち所定の二本の支持ワイヤ４ａの一端部は、支持部４０により支持されている。一対のスリット４７の間に支持部４０が形成されており、支持部４０の厚みのみを他の部分より薄くしておけば、他の部分で強度が確保できる点で好ましい。
こうして、支持部４０を、支持ワイヤ４ａの位置の変化に対応して変形可能にしている。これにより、支持ワイヤ４ａにかかる弾性力および張力を低減している。
基板３１がないので、はとめ用の孔の加工やはとめ部材が不要になり、部品点数を少なくすることができ、また、プリント配線板３０の構成とその製造が簡略化される。
【００３８】
なお、前記実施形態と前記変形例では、基板３１に穿設される孔４２の位置に配置される支持部４０は、左右方向を向いた場合を示したが、図１０（Ｅ）に示すように、上下方向を向いた場合であってもよい。
また、孔４２の形状は、図１０（Ｆ）に示すように矩形であってもよく、またはその他の形状であってもよい。
複数の支持ワイヤ４，４ａのうち所定の支持ワイヤ４ａの本数は、一本以上であればよく、偶数でも奇数でもよい。なお、可動部３が左右方向に移動するときのバランスを考慮すると、左右対称位置に支持ワイヤ４ａを配置するのが好ましい。
図１０に示す各種変形例においても、前記実施形態と同じ作用効果を奏する。
【００３９】
前記実施形態および各種変形例で説明したように、本発明の光ピックアップ１では、複数の支持ワイヤ４，４ａのうち所定の支持ワイヤ４ａの位置の変化に対応して支持部４０を変形可能にしている。
これにより、支持ワイヤ４ａにかかる弾性力および張力が低減する。したがって、支持ワイヤ４ａの弾性力および張力による可動部３に対する影響が低減するので、可動部３が不都合な挙動を起こすことがなくなる。その結果、可動部３の移動動作の精度を向上させることができ、可動部３が基本位置からシフトしたときの光ピックアップ１の特性を改善することができる。
支持ワイヤ４，４ａの数が増加した場合、支持ワイヤを細くしなくても可動部３の移動動作を確保することができるので、支持ワイヤの種類が増加することがなく、組立工程が簡略化し、支持ワイヤ４，４ａを取付けるときの作業が容易である。
本発明では、従来のような特殊な形状の支持ワイヤを使用する必要がないので、部品が簡略化し、支持ワイヤを容易に組み込むことができる。
【００４０】
以上、本発明の実施形態（各種変形例を含む）を説明したが、本発明は、上述の実施形態に限定されるものではなく、本発明の要旨の範囲で種々の変形，付加などが可能である。
なお、各図中同一符号は同一または相当部分を示す。
【００４１】
【発明の効果】
本発明は上述のように構成したので、複数の支持ワイヤのうち所定の支持ワイヤの弾性力および張力による可動部に対する影響を低減させて、可動部の移動動作の精度を向上させることができる。
【図面の簡単な説明】
【図１】図１ないし図１０は本発明の実施形態の一例を示す図で、図１は光ピックアップの斜視図である。
【図２】前記光ピックアップの平面図である。
【図３】支持ワイヤの支持状態を基板側から見た状態を示す斜視図である。
【図４】前記支持ワイヤの支持状態を可動部側から見た状態を示す斜視図である。
【図５】図３の分解斜視図である。
【図６】図４の分解斜視図である。
【図７】基板にプリント配線板が固着された状態を示す正面図である。
【図８】本実施形態の動作を示す斜視図である。
【図９】本実施形態の動作を示す断面図である。
【図１０】本実施形態の変形例を示す図である。
【符号の説明】
１      光ピックアップ
２      対物レンズ
３      可動部
４      支持ワイヤ
４ａ    所定の支持ワイヤ（支持ワイヤ）
５      支持台
６      ヨーク部
７      フォーカスコイル
８      トラッキングコイル
９      永久磁石
１０    ヨーク
２６    磁石支持用ヨーク（ヨーク）
３０    プリント配線板
３１    基板
４０    支持部
４１    変形可能部
４２    所定形状の孔
ｂ      幅寸法
ｃ      長さ寸法
ｔ      厚み寸法
【図１】
2004152421.tif 000003
【図２】
2004152421.tif 000004
【図３】
2004152421.tif 000005
【図４】
2004152421.tif 000006
【図５】
2004152421.tif 000007
【図６】
2004152421.tif 000008
【図７】
2004152421.tif 000009
【図８】
2004152421.tif 000010
【図９】
2004152421.tif 000011
【図１０】
2004152421.tif 000012